(57)【特許請求の範囲】
【請求項１】
軸筒外周面に、摺動可能に配置された摺動コマと、前記軸筒内に着脱自在に装着されたリフィールホルダーに把持された両頭リフィールを内蔵した筆記具であって、前記リフィールホルダーに把持されたリフィールを、リフィールホルダーから解除できる様に、前記摺動コマを軸筒から一部露出させ、摺動コマを操作することにより、リフィール交換可能なことを特徴とする筆記具。 
【発明の詳細な説明】
【技術分野】
【０００１】
本発明は、軸筒外周面に、摺動可能に配置された摺動コマと、前記軸筒内に着脱自在に装着されたリフィールホルダーに把持された両頭リフィールを内蔵した筆記具であって、前記リフィールホルダーに把持されたリフィールを、リフィールホルダーから解除できる様に、前記摺動コマを軸筒から一部露出させ、摺動コマを操作することにより、リフィール交換可能なことを特徴とする筆記具であり、リフィール交換を軸筒の分割を行わずに、簡単にペン先部を軸筒先端に差し替えることにより、２種類のペン先機能を発揮させるものである。 
【背景技術】
【０００２】
１例として、２種以上のペン先機能を発揮させるものとして、複数の筆記体リフィールを軸筒に並列に配置した、複合筆記具が知られている。
【特許文献１】特開２００１−３２８３９３号
【特許文献２】特開平１１−１８８９９２号
【発明の開示】
【発明が解決しようとする課題】
【０００３】
しかしながら、上記複合筆記具の場合、複数の筆記体リフィールのなかから、希望する筆記体リフィールを選択するための機構が複雑になると共に、筆記体リフィール１本のみ内蔵の筆記具に比べ、機構上、軸筒の外径を太くせざるを得なくなる欠点を要していた。
また筆記具が、筆記体リフィールの筆圧を検知してオン／オフする電気スイッチ（或いはセンサ）を装着し、発信装置から発信した音波や光を、受信する装置を内蔵してＸＹ座標を検出できる装置（受信装置）との組み合わせで、筆跡を記憶・出力するシステムに用いる場合、或いは筆記具が、筆記に連動して発光や振動する発信装置を内蔵し、デジタイザーを用いたＸＹ座標検出装置との組み合わせで、筆圧検出機構を装備した筆記具（或いは入力ペン）システムにおいては、軸筒内に多くの電子回路を内蔵されるため複数の筆記体リフィールを内蔵する空間を形成することが困難であると共に、ペン先部付近に受信装置への信号を送る装置（発信装置）が取り付けられる場合が多く、複数の筆記体リフィールを発信装置と干渉させずに軸筒に配置することは極めて難しいことである。
【発明の効果】
【０００４】
本発明は、軸筒外周面に、摺動可能に配置された摺動コマと、前記軸筒内に着脱自在に装着されたリフィールホルダーに把持された両頭リフィールを内蔵した筆記具であって、前記リフィールホルダーに把持されたリフィールを、リフィールホルダーから解除できる様に、前記摺動コマを軸筒から一部露出させ、摺動コマを操作することにより、リフィール交換可能なことを特徴とする筆記具であり、リフィール交換を軸筒の分割を行わずに、簡単にペン先部を軸筒先端に差し替えることにより、２種類のペン先機能を発揮させるものである。 
また、本発明は電子ペンに適用したときに、スタイラスペンを使用する際に、簡単に軸筒から筆記体リフィールを抜き差しできるものである。
【課題を解決するための手段】
【０００５】
本発明は、軸筒外周面に、摺動可能に配置された摺動コマと、前記軸筒内に着脱自在に装着されたリフィールホルダーに把持された両頭リフィールを内蔵した筆記具であって、前記リフィールホルダーに把持されたリフィールを、リフィールホルダーから解除できる様に、前記摺動コマを軸筒から一部露出させ、摺動コマを操作することにより、リフィール交換可能なことを特徴とする筆記具であり、リフィール交換を軸筒の分割を行わずに、簡単にペン先部を軸筒先端に差し替えることにより、２種類のペン先機能を発揮させることを要旨とする。
【発明を実施するための最良の形態】
【０００６】
図１〜図５に本発明の例を示し説明する。
本実施例は、筆記具が、筆記体リフィールの筆圧を検知してオン／オフする電気スイッチ（或いはセンサ）を装着し、ペン先付近に取り付けられた発信装置から発信した音波や光を発信することができ、受信装置との組み合わせで筆跡を記憶・出力するシステムに用いる筆記具である。
【０００７】
発信器カバー１４、前軸２、後軸３及び尾栓１５よりなる軸筒１の内方に、筆記体リフィール１２を摺動自在に配置した中軸１６が設けてある。前記中軸１６には、前記筆記体リフィール１２の筆圧を検知して電源のオン／オフをする電気的装置をモジュール化したセンサーボックス１７を組み入れる空間が形成されている。センサーボックス１７には、筆記体後端に設けた筆記体フォルダー１８の後方部を摺動可能にガイドするガイド部１７ａと、前記電気的装置の筆圧感知時の摺動ストロークを決める当接部１７ｂを形成すると共に、筆記体リフィール１２を非筆記時に長手軸前方に付勢する弾発部１７ｃを設けている。
【０００８】
筆記体フォルダー１８後方には、ガイド部１８ａと係止部１８ｂを形成し、筆記体フォルダー１８のセンサーボックス１７からの脱落を防止している。
また筆記体フォルダー１８は、筆圧により筆記時には後方に摺動し、弾発部１７ｃを介して感圧センサ１９を押圧し、筆記状態を検知することができる。
このとき、筆記体フォルダー当接部１８ｃがセンサーボックス当接部１７ｂに当接することで、感圧センサ１９へ過剰な筆圧を掛けないことができる。
筆記体フォルダー１８には、筆記体リフィール１２の後方に位置するペン先部を係止する係止部１８ｄが設けられている。
【０００９】
本実施例では、ペン先テーパ部１２ｇ、１２ｈを係止する複数のリブが、ペン先部を係止する係止部１８ｄとして設けられている。
筆記体リフィール１２は、筆記体フォルダー１８に取り付けたリフィールクリップ２０で狭着され、軸筒１からの脱落を防いでいる。
また、スライド２１が、摺動コマとして軸筒に設けられ、軸筒１外周面にスライド可能に配置されており、拡開部２１aがリフィールクリップ２０前方に形成されている。
筆記体リフィール１２を抜き取り、ペン先を入れ替える場合、スライド２１を長手後方に移動させることで、拡開部２１aが、筆記体フォルダー１８に取り付けたリフィールクリップ２０を拡開させ、リフィールクリップ２０の筆記体リフィール１２の狭着を解除させ、筆記体リフィール１２は自重で、筆記具から分離し、ペン先部を反転させ再度装着することで、完了する。
【００１０】筆記体リフィールに用いるペン先としては、ペン先摩耗の少ない、金属ボールペンチップ、インキ等の紙面への転写を必要としないスタイラスペン先等がペン先として好ましいが、特にペン先の種類を限定するものではない。  また図示はしないが、ペン先部のテーパ部を係止部とし、例えば一方にボールペンペン先、他方にスタイラスペン先とした場合、ボールペンとスタイラスにほぼ同一形状のテーパ部を設け、テーパ部より先部の長さをスタイラスで長くすることにより、ペン先の軸筒からの突出長さをスタイラスで長くさせることも可能である。  また更に、２つのペン先係止部は、それぞれのペン先形状に合わせて、ペン先部を係止する係止部材を別の箇所に設けても良い。  一方に黒ボールペンペン先、他方に赤ボールペンペン先を配置しても良い。この場合リフィール筒内のインキ比率は使用頻度によって適宜配分することもできる。  本実施例では、筆記体の筆圧を検知してオン／オフする電気的装置として感圧センサを示したが、タクトスイッチ等を用いても一向に差し支えない。
【図面の簡単な説明】
【００１１】
【図１】本発明の非筆記状態を示す部分半断面図である。
【図２】本発明の筆記体リフィール部分半断面図である。
【図３】本発明の要部拡大部分半断面図である。
【図４】本発明の筆記体リフィール装着を示す要部Ａ−Ａ断面図である。
【図５】本発明の筆記体リフィール装着解除を示すＡ−Ａ断面図である。
【図６】本発明の要部分解斜視図である。
【符号の説明】
【００１２】
１      軸筒
２      前軸
２ａ    ネジ部
３      後軸
１２    筆記体リフィール
１２ａ  ボールペンペン先
１２ｂ  スタイラスペン先
１２ｃ  筒体
１２ｆ  空気流通溝
１２ｇ  ペン先テーパ部
１２ｈ  ペン先テーパ部
１４    発信器カバー
１５    尾栓
１６    中軸
１７    センサーボックス
１７ａ  ガイド部
１７ｂ  当接部
１７ｃ  弾発部
１８    筆記体フォルダー
１８ａ  ガイド部
１８ｂ  係止部
１８ｃ  当接部
１８ｄ  係止部
１９    感圧センサー
２０    リフィールクリップ
２１    スライド
２１ａ  拡開部
２２    電池
２３    超音波発信素子
２４    赤外線発信素子
【図１】
0005211562.tif 000002
【図２】
0005211562.tif 000003
【図３】
0005211562.tif 000004
【図４】
0005211562.tif 000005
【図５】
0005211562.tif 000006
【図６】
0005211562.tif 000007